【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信のための方法であって、
第１のセルから選択パラメータを受信することと、
前記第１のセルから受信された前記選択パラメータに少なくとも部分的に基づいて第２のセルを自律的に識別および選択すること、前記第１のセルは、第１の基地局に関連付けられ、前記第２のセルは、第２の基地局に関連付けられ、前記第１のセルと前記第２のセルとが互いに通信している、と、
前記第２のセルとの独立した接続を確立することと、
前記第１のセルおよび前記第２のセルと同時に通信することと
を備える、方法。
【請求項２】
前記第１のセルから前記選択パラメータを受信することは、
前記第２のセルを選択すべき候補セルのセットを受信することを備える、
請求項１に記載の方法。
【請求項３】
前記候補セルのセットは、複数の無線アクセス技術（ＲＡＴ）のセルを備える、
請求項２に記載の方法。
【請求項４】
前記セット中の各候補セルは、
セル識別子、
グローバルセル識別子、
追跡エリアコード、
キャリア周波数、
ロケーションエリアコード、
ルーティングエリアコード、
サービスセット識別子（ＳＳＩＤ）、
基本サービスセット識別子（ＢＳＳＩＤ）、または
同種拡張サービスセット識別子（ＨＥＳＳＩＤ）
のうちの少なくとも１つによって識別される、請求項２に記載の方法。
【請求項５】
前記第２のセルの無線アクセス技術（ＲＡＴ）は、前記第１のセルのＲＡＴとは異なる、
請求項１に記載の方法。
【請求項６】
前記第１のセルと前記第２のセルが互いに通信していることは、バックホールリンクを介して通信していることを備える、または
前記第１のセルから受信された前記選択パラメータは、
基準信号受信電力、
基準信号受信品質、
ワイヤレスローカルエリアネットワーク（ＷＬＡＮ）負荷、
基本サービスセット（ＢＳＳ）負荷、または
ワイドエリアネットワーク（ＷＡＮ）メトリック
のうちの少なくとも１つを備える、または
前記第１のセルおよび前記第２のセルと同時に通信することは、
第１のコンポーネントキャリアを使用して前記第１のセルと通信することと、
第２のコンポーネントキャリアを使用して前記第２のセルと通信することと
を備える、請求項１に記載の方法。
【請求項７】
前記第２のセルとの前記独立した接続を確立することは、
前記第２のセルに初期アクセスメッセージを送信することと、
前記第２のセルから応答メッセージを受信することと
を備え、前記応答メッセージは、前記初期アクセスメッセージに応答する、
請求項１に記載の方法。
【請求項８】
前記第１のセルから、前記ワイヤレスデバイスが前記第２のセルとの前記独立した接続を確立することが許されるというインジケーションを受信することをさらに備える、または
候補セルのセット中の各候補セルに関連するパラメータを決定することと、
前記第２のセルに関連する前記決定されたパラメータに少なくとも部分的に基づいて前記セットから前記第２のセルを選択することと
をさらに備える、または
バッファ中のアップリンクデータの量がしきい値を上回るかどうかを決定することと、
前記バッファ中のアップリンクデータの前記量が前記しきい値を上回るとき、前記第２のセルとの前記独立した接続を確立することと
をさらに備える、または
前記第１のセルからセル負荷インジケーションを受信することと、
前記第１のセルから受信された前記セル負荷インジケーションに少なくとも部分的に基づいて前記第２のセルとの前記独立した接続を確立することと
をさらに備える、または
前記第２のセルからセル負荷インジケーションを受信することと、
前記第２のセルから受信された前記セル負荷インジケーションに少なくとも部分的に基づいて前記第２のセルを選択することと
をさらに備える、請求項１に記載の方法。
【請求項９】
利用可能なアップリンクデータがあるかどうかを検出することと、
利用可能なアップリンクデータが検出されるとき、前記第２のセルとの前記独立した接続を確立することと
をさらに備える、請求項１に記載の方法。
【請求項１０】
前記独立した接続は、前記検出されたアップリンクデータに関連するアプリケーションのタイプに少なくとも部分的に基づいて前記第２のセルとの間で確立される、
請求項９に記載の方法。
【請求項１１】
利用可能なダウンリンクデータがあるかどうかを検出することと、
利用可能なダウンリンクデータが検出されるとき、前記第２のセルとの前記独立した接続を確立することと
をさらに備える、請求項１に記載の方法。
【請求項１２】
前記独立した接続は、前記検出されたダウンリンクデータに関連するアプリケーションのタイプに少なくとも部分的に基づいて前記第２のセルとの間で確立される、
請求項１１に記載の方法。
【請求項１３】
前記第１のセルおよび前記第２のセルと同時に通信することは、
前記第１のセルに関連する第１のスケジューラに従って前記第１のセルと通信しながら、前記第２のセルに関連する第２のスケジューラに従って前記第２のセルと同時に通信すること
を備える、請求項１に記載の方法。
【請求項１４】
請求項１乃至１３に記載の方法のいずれか１項のステップを実行するように構成された手段を備える、
ワイヤレス通信のための装置。
【請求項１５】
ワイヤレス通信のためのコンピュータプログラム製品であって、
請求項１乃至１３のいずれか１項のステップを実行すること
を行うための、プロセッサによって実行可能な命令を記憶する非一時的コンピュータ可読媒体を備える、
コンピュータプログラム製品。
【手続補正２】
【補正対象書類名】明細書
【補正対象項目名】０１３５
【補正方法】変更
【補正の内容】
【０１３５】
[0153]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレスデバイスによるワイヤレス通信のための方法であって、
第１のセルから選択パラメータを受信することと、
前記第１のセルから受信された前記選択パラメータに少なくとも部分的に基づいて第２のセルを識別および選択すること、前記第１のセルは、第１の基地局に関連付けられ、前記第２のセルは、第２の基地局に関連付けられ、前記第１のセルと前記第２のセルとが互いに通信している、と、
前記第２のセルとの独立した接続を確立することと、
前記第１のセルおよび前記第２のセルと同時に通信することと
を備える、方法。
［Ｃ２］
前記第１のセルから前記選択パラメータを受信することは、
前記第２のセルを選択すべき候補セルのセットを受信することを備える、
［Ｃ１］に記載の方法。
［Ｃ３］
前記候補セルのセットは、複数の無線アクセス技術（ＲＡＴ）のセルを備える、
［Ｃ２］に記載の方法。
［Ｃ４］
前記セット中の各候補セルは、
セル識別子、
グローバルセル識別子、
追跡エリアコード、
キャリア周波数、
ロケーションエリアコード、
ルーティングエリアコード、
サービスセット識別子（ＳＳＩＤ）、
基本サービスセット識別子（ＢＳＳＩＤ）、または
同種拡張サービスセット識別子（ＨＥＳＳＩＤ）
のうちの少なくとも１つによって識別される、［Ｃ２］に記載の方法。
［Ｃ５］
前記第２のセルの無線アクセス技術（ＲＡＴ）は、前記第１のセルのＲＡＴとは異なる、
［Ｃ１］に記載の方法。
［Ｃ６］
前記第１のセルと前記第２のセルが互いに通信していることは、バックホールリンクを介して通信していることを備える、
［Ｃ１］に記載の方法。
［Ｃ７］
前記第１のセルから受信された前記選択パラメータが、
基準信号受信電力、
基準信号受信品質、
ワイヤレスローカルエリアネットワーク（ＷＬＡＮ）負荷、
基本サービスセット（ＢＳＳ）負荷、または
ワイドエリアネットワーク（ＷＡＮ）メトリック
のうちの少なくとも１つを備える、［Ｃ１］に記載の方法。
［Ｃ８］
前記第１のセルおよび前記第２のセルと同時に通信することは、
第１のコンポーネントキャリアを使用して前記第１のセルと通信することと、
第２のコンポーネントキャリアを使用して前記第２のセルと通信することと
を備える、［Ｃ１］に記載の方法。
［Ｃ９］
前記第２のセルとの前記独立した接続を確立することは、
前記第２のセルに初期アクセスメッセージを送信することと、
前記第２のセルから応答メッセージを受信することと
を備え、前記応答メッセージは、前記初期アクセスメッセージに応答する、
［Ｃ１］に記載の方法。
［Ｃ１０］
前記第１のセルから、前記ワイヤレスデバイスが前記第２のセルとの前記独立した接続を確立することが許されるというインジケーションを受信することをさらに備える、
［Ｃ１］に記載の方法。
［Ｃ１１］
候補セルのセット中の各候補セルに関連するパラメータを決定することと、
前記第２のセルに関連する前記決定されたパラメータに少なくとも部分的に基づいて前記セットから前記第２のセルを選択することと
をさらに備える、［Ｃ１］に記載の方法。
［Ｃ１２］
バッファ中のアップリンクデータの量がしきい値を上回るかどうかを決定することと、
前記バッファ中のアップリンクデータの前記量が前記しきい値を上回るとき、前記第２のセルとの前記独立した接続を確立することと
をさらに備える、［Ｃ１］に記載の方法。
［Ｃ１３］
利用可能なアップリンクデータがあるかどうかを検出することと、
利用可能なアップリンクデータが検出されるとき、前記第２のセルとの前記独立した接続を確立することと
をさらに備える、［Ｃ１］に記載の方法。
［Ｃ１４］
前記独立した接続は、前記検出されたアップリンクデータに関連するアプリケーションのタイプに少なくとも部分的に基づいて前記第２のセルとの間で確立される、
［Ｃ１３］に記載の方法。
［Ｃ１５］
利用可能なダウンリンクデータがあるかどうかを検出することと、
利用可能なダウンリンクデータが検出されるとき、前記第２のセルとの前記独立した接続を確立することと
をさらに備える、［Ｃ１］に記載の方法。
［Ｃ１６］
前記独立した接続は、前記検出されたダウンリンクデータに関連するアプリケーションのタイプに少なくとも部分的に基づいて前記第２のセルとの間で確立される、
［Ｃ１５］に記載の方法。
［Ｃ１７］
前記第１のセルからセル負荷インジケーションを受信することと、
前記第１のセルから受信された前記セル負荷インジケーションに少なくとも部分的に基づいて前記第２のセルとの前記独立した接続を確立することと
をさらに備える、［Ｃ１］に記載の方法。
［Ｃ１８］
前記第２のセルからセル負荷インジケーションを受信することと、
前記第２のセルから受信された前記セル負荷インジケーションに少なくとも部分的に基づいて前記第２のセルを選択することと
をさらに備える、［Ｃ１］に記載の方法。
［Ｃ１９］
前記第１のセルおよび前記第２のセルと同時に通信することは、
前記第１のセルに関連する第１のスケジューラに従って前記第１のセルと通信しながら、前記第２のセルに関連する第２のスケジューラに従って前記第２のセルと同時に通信すること
を備える、［Ｃ１］に記載の方法。
［Ｃ２０］
ワイヤレス通信のための装置であって、
第１のセルから選択パラメータを受信するための手段と、
前記第１のセルから受信された前記選択パラメータに少なくとも部分的に基づいて第２のセルを識別および選択するための手段、前記第１のセルは、第１の基地局に関連付けられ、前記第２のセルは、第２の基地局に関連付けられ、前記第１のセルと前記第２のセルとは、互いに通信している、と、
前記第２のセルとの独立した接続を確立するための手段と、
前記第１のセルおよび前記第２のセルと同時に通信するための手段と
を備える、装置。
［Ｃ２１］
前記第１のセルから選択パラメータを受信するための前記手段は、
前記第２のセルを選択すべき候補セルのセットを受信するための手段を備える、
［Ｃ２０］に記載の装置。
［Ｃ２２］
前記候補セルのセットは、複数の無線アクセス技術（ＲＡＴ）のセルを備える、
［Ｃ２１］に記載の装置。
［Ｃ２３］
前記第２のセルの無線アクセス技術（ＲＡＴ）は、前記第１のセルのＲＡＴとは異なる、
［Ｃ２０］に記載の装置。
［Ｃ２４］
前記第２のセルとの前記独立した接続を確立するための前記手段は、
前記第２のセルに初期アクセスメッセージを送信するための手段と、
前記第２のセルから応答メッセージを受信するための手段と
を備え、前記応答メッセージは、前記初期アクセスメッセージに応答する、
［Ｃ２０］に記載の装置。
［Ｃ２５］
前記第１のセルから、前記デバイスが前記第２のセルとの前記独立した接続を確立することが許されるというインジケーションを受信するための手段をさらに備える、
［Ｃ２０］に記載の装置。
［Ｃ２６］
候補セルのセット中の各候補セルに関連するパラメータを決定するための手段と、
前記第２のセルに関連する前記決定されたパラメータに少なくとも部分的に基づいて前記セットから前記第２のセルを選択するための手段と
をさらに備える、［Ｃ２０］に記載の装置。
［Ｃ２７］
前記第１のセルおよび前記第２のセルと同時に通信するための前記手段は、
前記第１のセルに関連する第１のスケジューラに従って前記第１のセルと通信しながら、前記第２のセルに関連する第２のスケジューラに従って前記第２のセルと同時に通信するための手段を備える、
［Ｃ２０］に記載の装置。
［Ｃ２８］
ワイヤレス通信のためのデバイスであって、
プロセッサと、
前記プロセッサと電子通信している、命令を実装するメモリとを備え、前記命令は、前記プロセッサによって、
第１のセルから選択パラメータを受信することと、
前記第１のセルから受信された前記選択パラメータに少なくとも部分的に基づいて第２のセルを識別および選択すること、前記第１のセルは、第１の基地局に関連付けられる、前記第２のセルは、第２の基地局に関連付けられ、前記第１のセルと前記第２のセルとは、互いに通信している、と、
前記第２のセルとの独立した接続を確立することと、
前記第１のセルおよび前記第２のセルと同時に通信することと
を行うように実行可能である、デバイス。
［Ｃ２９］
前記第１のセルから前記選択パラメータを受信することは、
前記第２のセルを選択すべき候補セルのセットを受信することを備える、
［Ｃ２８］に記載のデバイス。
［Ｃ３０］
ワイヤレス通信のためのコンピュータプログラム製品であって、
第１のセルから選択パラメータを受信することと、
前記第１のセルから受信された前記選択パラメータに少なくとも部分的に基づいて第２のセルを識別および選択すること、前記第１のセルは、第１の基地局に関連付けられる、前記第２のセルは、第２の基地局に関連付けられ、前記第１のセルと前記第２のセルとは、互いに通信している、と、
前記第２のセルとの独立した接続を確立することと、
前記第１のセルおよび前記第２のセルと同時に通信することと
を行うための、プロセッサによって実行可能な命令を記憶する非一時的コンピュータ可読媒体を備える、
コンピュータプログラム製品。